(57)【要約】【課題】製図用具と製図用品をコンパクトに収納し収納物の一部を必要に応じて取出し製図作業に使用できる。携帯もしくは持運びに適した収納ケ−スの多機能な構造を得る。  【解決手段】収納ケ−スの本体１の上側面開口部９に開閉自在な開閉上蓋１１を設け、上方へ開口された状態と、本体１の側面開口部１０の右側面に摺動自在な上段収納区画部１７の引出しおよび下段収納区画部１８の引出しを備え、下段収納区画部１８の引出しを右側方へ引出された状態と、開閉上蓋１１の前方側面に開閉上蓋係止把手３３を設けている。上段収納区画部１７の引出しの枠蓋に上段引出し係止把手３１を設け、下段収納区画１８の引出しの枠蓋に下段引出し係止把手３２を設けている。上記、係止把手は蓋体と引出しの係合と係止の機能を保持している。収納ケ−スの本体側面８の前方側面に、携帯もしくは持運びに容易な側面把手１３を設けられている。【選択図】        図６
2005211284.tif 000002
【特許請求の範囲】
【請求項１】
製図用具と製図用品を収納する側面機能と内部機能の構造を保持する収納ケ−スにあって、該収納ケ−スの本体枠組の上側面に開閉もしくは引出し自在な上蓋を設け、該収納ケ−スの本体枠組の上側面に開閉上蓋の開口部を設け、該収納ケ−スの本体枠組の側面に上蓋引出しおよび収納区画部の引出しの開口部を設け、該収納ケ−スの本体枠組の側面に側面把手を設け、該収納ケ−スの本体枠組の側面に製図用具の側面取付け係止部を設け、該収納ケ−スの本体枠組の下側面に底部底体を設け、該収納ケ−スの下側面に傾斜調整支持する調整支持部を設け、該収納ケ−スの本体と収納物を支持する側面機能の構造を保持し、該収納ケ−スの内部に収納区画自在な収納物の収納区画部を設け、製図用具と製図用品の収納物を収納区画支持する。該収納ケ−スの内部に収納区画部の引出し自在とする摺動支持部を設け、収納区画部を摺動自在な引出しとする。前記収納物を収納支持する内部機能の構造を保持し、前記側面機能と前記内部機能の構造を保持することを特徴とする製図用具と製図用品の多機能収納ケ−ス。
【請求項２】
前記収納ケ−スの上蓋を摺動自在の上蓋引出しとしたことを特徴とする請求項１記載の製図用具と製図用品の多機能収納ケ−ス。
【請求項３】
前記収納ケ−スの内部に上段収納区画部および下段収納区画部を設け、上段収納区画部を摺動自在の引出しとしたことを特徴とする請求項１又は請求項２記載の製図用具と製図用品の多機能収納ケ−ス。
【請求項４】
前記収納ケ−スの内部に上段収納区画部および下段収納区画部を設け、下段収納区画部を摺動自在の引出しとしたことを特徴とする請求項１、請求項２又は請求項３記載の製図用具と製図用品の多機能収納ケ−ス。
【請求項５】
前記収納ケ−スの上蓋を開閉自在の開閉上蓋としたことを特徴とする請求項１、請求項３又は請求項４記載の製図用具と製図用品の多機能収納ケ−ス。
【請求項６】
前記収納ケ−スの上蓋を摺動自在の上蓋引出しおよび上蓋端部枠蓋を枢着回動自在の蓋体としたことを特徴とする請求項１、請求項３又は請求項４記載の製図用具と製図用品の多機能収納ケ−ス。
【発明の詳細な説明】
【技術分野】
【０００１】
製図に係わる業務および研究学習に役立てることを目的とした製図用具と製図用品の多機能収納ケ−ス。
【背景技術】
【０００２】
従来、製図に要する用具と用品の収納物を収納する収納ケ−スにおいては、製図技術の進歩と製図用具および製図用品の新製品の開発にともない、製図用具と製図用品の種類と数量が増加したため、従来の、収納ケ−スでは収納物の収納が限られ不具合がみられた。製図作業に要する製図用具と製図用品をコンパクトに収納することが困難であった。
【発明の開示】
【発明が解決しようとする課題】
【０００３】
収納ケ−スの多機能な構造により、製図作業に要する製図用具と製図用品の収納物をコンパクトに収納し、収納物の一部を必要に応じて取出し、製図作業に使用することができる。製図作業および携帯もしくは持運びに適した、多機能な構造の収納ケ−スを提供することを目的とする。
【０００４】
製図作業に要する製図用具と製図用品を多機能な構造により収納保持する、該収納ケ−スの本体枠組の上側面に開閉もしくは引出し自在な上蓋を設け、収納物の収納と取出しを容易とする。前記収納ケ−スの上側面枠組に上側面開口部を設け、上蓋を開閉自在な開閉上蓋とする。前記収納ケ−スの本体側面に側面開口部を設け、上蓋を摺動自在な上蓋引出しとする摺動支持部を設け、側面開口部より引出し自在とする。前記収納ケ−スの本体枠組の本体側面に収納ケ−スを支持する携帯もしくは持運びに簡易な側面把手を設け、前記収納ケ−スの下側面枠組の底部底体に、収納ケ−スの製図台と製図板を傾斜調整支持する調整支部部を設けて製図作業を容易とする前記側面機能の構造を保持する。前記収納ケ−スの内部に収納区画部を摺動自在の引出しとする摺動支持部を設け、収納区画部を側面開口部の側方へ引出し自在とする。収納物の収納と取出しを容易とする内部機能の構造を保持する。前記側面機能と前記内部機能の構造を保持する多機能収納ケ−ス。
【０００５】
前記収納ケ−スの開閉上蓋の開閉自在とする枢着回動部を上側面開口部の後方側端の両側端に接合し固着して設け、その枢着回動部を上蓋の後方側端の両側端に接合し固着して開閉自在な開閉上蓋とする。前記収納ケ−スの開閉上蓋もしくは上蓋引出しを格納して製図台として使用する。その収納ケ−スの上側面に製図板を係止して製図作業を容易に行なうことができる。前記側面機能の構造を保持する多機能収納ケ−ス。
【０００６】
前記収納ケ−スの収納区画部の収納区画形成は収納物の形状に応じて形成自在に設けられる。前記収納ケ−スの内部の収納区画部を摺動自在な引出しとする摺動支持部は、収納ケ−スの内部に設けられる。前記内部機能の構造を保持する多機能収納ケ−ス。
【０００７】
前記収納ケ−スの開閉上蓋の開閉自在とする枢着回動部を上側面枠組の上側面開口部の前後方又は左右方の上側面に自在に設けられる。前記収納ケ−スの上蓋引出しの引出し自在とする側面開口部を本体側面の前後方又は左右方の側面に自在に設けられる。前記収納ケ−スの本体側面の小型収納ケ−スの取付け係止部および収納ケ−スの本体側面の側面把手を本体側面の前後方又は左右方の側面に自在に設けられる。前記側面機能の構造を保持する多機能収納ケ−ス。
【０００８】
前記収納ケ−スの内部の収納区画部に、製図作業に要する製図用具の製図板と、長尺定規又はＬ形定規と、各種多角形定規と、製図小型用具と、製図作業に要する製図用品と、小型卓上計算機又は筆記用品と、製図用紙の収納物と、ノ−トパソコンおよび付属備品を収納する。前記収納ケ−スの内部の収納区画部に、ノ−トパソコンの収納区画を形成して設け収納を自在とし、ノ−トパソコンに必要な各種カ−ドおよび付属備品の収納区画を形成して設け収納を自在とする。前記収納ケ−スの開閉自在な開閉上蓋の開口および摺動自在な上蓋引出しの引出しにおいて、収納区画部の収納物の収納と取出し自在な構造を有し、上蓋引出しの端部と枠蓋に枢着回動部を設け収納区画部の引出しを自在とする構造を有する。前記収納ケ−スの側面機能と内部機能の構造を保持する多機能収納ケ−ス。
【課題を解決するための手段】
【０００９】
本発明は、上記の目的を達成するために、請求項１の発明において、製図用具と製図用品を収納する側面機能と内部機能の構造を保持する収納ケ−スにあって、該収納ケ−スの本体枠組の上側面に開閉もしくは引出し自在な上蓋を設け、該収納ケ−スの上側面に開閉上蓋の開口部を設け、該収納ケ−スの本体枠組の側面に上蓋引出しおよび収納区画部の引出しの開口部を設け、該収納ケ−スの本体枠組の側面に側面把手を設け、該収納ケ−スの本体枠組の側面に製図用具の側面取付け係止部を設け、該収納ケ−スの本体枠組の下側面に底部底体を設け、該収納ケ−スの下側面に傾斜調整支持する調整支持部を設け、該収納ケ−スの本体と収納物を支持する側面機能の構造を保持し、該収納ケ−スの内部に収納区画自在な収納物の収納区画部を設け、製図用具と製図用品の収納物を収納区画支持する。該収納ケ−スの内部に収納区画部の引出し自在とする摺動支持部を設け、収納区画部の引出し自在な引出しとする。前記収納物を収納支持する内部機能の構造を保持し、前記側面機能と前記内部機能の構造を保持することを特徴とする製図用具と製図用品の多機能収納ケ−ス。
【００１０】
請求項２の発明は、請求項１の発明において、前記収納ケ−スの上蓋を摺動自在な上蓋引出しとしたことを特徴とする製図用具と製図用品の多機能収納ケ−ス。
【００１１】
請求項３の発明は、請求項１又は請求項２の発明において、前記収納ケ−スの内部に上段収納区画部および下段収納区画部を設け、上段収納区画部を摺動自在な引出しとしたことを特徴とする製図用具と製図用品の機能収納ケ−ス。
【００１２】
請求項４の発明は、請求項１又は請求項２の発明において、前記収納ケ−スの内部に上段収納区画部および下段収納区画部を設け、下段収納区画部を摺動自在な引出しとしたことを特徴とする製図用具と製図用品の機能収納ケ−ス。
【００１３】
請求項５の発明は、請求項１、請求項３又は請求項４の発明において、前記収納ケ−スの上蓋を開閉自在な開閉上蓋としたことを特徴とする製図用具と製図用品の多機能収納ケ−ス。
【００１４】
請求項６の発明は、請求項１、請求項３又は請求項４の発明において、前記収納ケ−スの上蓋を摺動自在の上蓋引出しおよび上蓋端部枠蓋を枢着回動自在の蓋体としたことを特徴とする製図用具と製図用品の多機能収納ケ−ス。
【発明の効果】
【００１５】
本発明の効果として、収納ケ−スの多機能な構造により、収納物をコンパクトに収納し、収納物の一部を必要に応じて取出し製図作業を容易に行なえる効果を得られる。前記収納ケ−スの側面機能と内部機能の構造を保持する多機能収納ケ−スにおいて、前記収納ケ−スの上側面に上蓋の開閉自在な開閉上蓋もしくは上蓋の摺動自在な上蓋引出しを設け、収納物の収納と取出しを容易とする側面機能を保持する。前記収納ケ−スの内部に収納区画部の摺動自在な引出しを設け、収納物の収納と取出しを容易とする内部機能の構造を保持する。前記収納ケ−スの上蓋の開閉上蓋もしくは上蓋引出しを格納した上側面に、製図板を係止して製図作業を行なえる、収納ケ−スを製図台として使用することができる。前記収納ケ−スの上段収納区画部の引出し又は下段収納区画部の引出しを収納ケ−スの側面開口部より取出し小型収納ケ−スとして使用することができる。前記収納ケ−スの側面把手を設け、携帯もしくは持運びを容易とする効果を得られる。前記側面機能と前記内部機の構造を保持する多機能収納ケ−ス。
【発明を実施するための最良の形態】
【００１６】
以下、本発明を実施するための最良の形態について図面を参照して説明する。本発明の実施例図６において、この発明の多機能収納ケ−スの上蓋の開閉自在な開閉上蓋の開口と下段収納区画部の引出しを引出した本体の斜視図である。同図に示すように、この収納ケ−スの本体１の上側面枠組４に、上側面開口部９を備えている。その上側面開口部９の上側面に開閉上蓋１１を開口して備えられている。本体側面８の右側面に側面開口部１０をを備え、側面開口部１０の右側面に、上段収納区画部１７の引出しおよび下段収納区画部１８の引出しを備えている。その下段収納区画部１８の引出しを側面開口部１０の右側方右側方へ引出されて備えられている。開閉上蓋１１の前方側端に蓋体の係合と係止の開閉上蓋係止把手３３を設けている。この収納ケ−スの上段収納区画部１７の引出しの右側端に上段引出し枠蓋２４を備え、下段収納区画部１８の引出しの右側端に下段端部枠蓋２５
を備えられている。上記、上段引出し枠蓋２４の側面に上段引出し係止把手３１を設け、下段引出し枠蓋２５の側面に下段引出し係止把手３２を設けられられている。上段引出し係止把手３１および下段引出し係止把手３２は、引出しの係合と係止の機能を保持している。この収納ケ−スの本体側面８の前方側面に、本体１を支持する側面把手１３を設けられている。この収納ケ−スの本体１は長方形状の箱型の本体枠組２備えている。
【実施例１】
【００１７】
以下、本発明を実施するための最良の形態について図面を参照して説明する。本発明の実施例図１において、この発明の多機能収納ケ−スの開閉上蓋と上段収納区画部の引出しおよび下段収納区画部の引出しを格納された本体の外観図である。同図に示すように、この収納ケ−スの本体１の本体枠組２の上側面に側面開口部９と、上蓋３の開閉上蓋１１を備えている。この収納ケ−スの本体１の側面枠組５の右側面に側面開口部１０と、本体１の下側面枠組６の下側面に底部底体８を備えている。本体１の側面枠組５の前方側面に本
体１を支持する側面把手１３を設けられている。側面把手１３はこの収納ケ−スの収納物を収納した状態で本体１を支持し、携帯もしくは持運びに容易な機能を保持している。この収納ケ−スの上側面枠組４の上側面に、開閉上蓋１１の上側面開口部９を備えている。上側面開口部９の後方側端の両側端に、開閉上蓋１１の開閉自在とする枢着回動部１９を接合し固着して設けている。その枢着回動部１９を開閉上蓋１１の後方側端の両側端に接合し固着して設けられている。上記、開閉上蓋１１の前方端部に開閉上蓋係止把手３３を設けている。開閉上蓋係止把手３３は蓋体の係合と係止の機能を保持する。この収納ケ−スの側面枠組５の右側面の側面開口部１０に、上段収納区画部１７の引出しおよび下段収納区画部１８の引出しを格納されて備えられている。この収納ケ−スの本体１は長方形状の箱型の本体枠組２を備えている。
【実施例２】
【００１８】
以下、本発明を実施するための最良の形態について図面を参照して説明する。本発明の実施例２において、この発明の多機能収納ケ−スの上蓋引出しと上段収納区画部の引出しおよび下段収納区画部の引出しを格納した本体の外観図である。同図に示すように、この収納ケ−スの本体１の本体枠組２の上側面に上蓋３を摺動自在とする上蓋摺動支持部２０を備えている。上蓋摺動支持部２０は上蓋引出し１２を摺動自在とする機能を保持している、本体１の側面枠組５の右側面に側面開口部１０と、本体１の下側面枠組６の下側面に底部底体７を備えている。本体１の側面枠組５の前方側面に、本体１を支持する側面把手１３を設けられている。側面把手１３はこの収納ケ−スの収納物を収納した状態で支持し、携帯もしくは持運びに容易な機能を保持している。この収納ケ−スの上側面枠組４に、上蓋引出し１２の摺動自在とする上蓋摺動支持部２０を、上側面枠組４の前後方の上側面および左方の上側面に接合し固着して備えられている。上記、上蓋引出し１２の右側端に上蓋端部枠蓋２３を備えている。その上蓋端部枠蓋２３に上蓋引出し係止把手３０を設けられている。上蓋引出し係止把手３０は蓋体の係合と係止の機能を保持している。この収納ケ−スの内部に内部収納区画部１６を収納区画形成して備えられている。この収納ケ−スの本体１は長方形状の箱型の本体枠組２を備えている。
【実施例３】
【００１９】
以下、本発明を実施するための最良の形態について図面を参照して説明する。本発明の実施例３において、この発明の多機能収納ケ−スの本体の開閉上蓋を開口した本体の斜視図である。同図に示すように、この収納ケ−スの上側面枠組４の上側面開口部９に開閉上蓋１１を開口して備え、本体１の側面枠組５の右側面に側面開口部１０を備えている。その側面開口部１０の右側面に、上段収納区画部１７の引出しおよび下段収納区画部１８の引出しを備えている。上段収納区画部１７の引出しに上段引出し枠蓋２４を備え、下段収納区画部１８の引出しに下段引出し枠蓋２６を備えている。上記、開閉上蓋１１の前方側端に開閉上蓋係止把手３３を設けている、上段引出し枠蓋２４に上蓋引出し係止把手３１を設け、下段引出し枠蓋２５に下段引出し係止把手３２を設けている、本体側面８の前方側面に、本体１を支持する側面把手１３を設けられている。この収納ケ−スの本体１に上
段収納区画部１７の引出しおよび下段収納区画部１８の引出しを格納して備えている。この収納ケ−スの本体１は長方形状の箱型の本体枠組２を備えている。
【実施例４】
【００２０】
以下、本発明を実施するための最良の形態について図面を参照して説明する。本発明の実施例４において、この発明の多機能収納ケ−スの上蓋を上蓋引出しとした本体の斜視図である。同図に示すように、この収納ケ−スの本体１の上側面枠組４に、上蓋３の摺動自在な上蓋引出し１２とする上蓋摺動支持部２０を、上側面枠組４の前後方の上側面および左方の上側面に対応して備えられている。その上蓋摺動支持部２０の摺動隙間４１に沿って、上蓋引出し１２を本体側面８の右側面の側面開口部１０より右側方へ引出して備えられている。この収納ケ−スの本体１の内部に収納と取出し自在な内部収納区画部１６を備えている。本体１の本体側面８の前方側面に本体１を支持する側面把手１３を設けられている。この収納ケ−スの本体１は長方形状の箱型の本体枠組２を備えている。
【実施例５】
【００２１】
以下、本発明を実施するための最良の形態について図面を参照して説明する。本発明の実施例５において、この発明の多機能収納ケ−スの上蓋引出しと上段収納区画部の引出しを引出した本体の斜視図である。同図に示すように、この収納ケ−スの上蓋引出し１２を本体側面８の右側面の側面開口部１０より右側方へ引出されて備えている。この収納ケ−スの内部に収納と取出し自在な上段収納区画部１７の引出しを備え、本体側面８の右側面の側面開口部１０より右側方へ引出されて備えている。上記、上蓋引出し１２の右側端に上蓋端部枠蓋２３を備えている。その上蓋端部枠蓋２３に上蓋引出し係止把手３４を設けている。上記、上段収納区画部１７の引出しの右側端に、上段引出し枠蓋２４を備えている、その上段引出し枠蓋２４に、上段引出し係止把手３１を設けられている。この収納ケ−スの内部の下段に内部収納区画部１６を区画形成して備えられている。この収納ケ−スの本体側面８の前方側面に、本体１を支持する側面把手１３を設けられている。この収納ケ−スの本体１は長方形状の箱型の本体枠組２を備えている。
【実施例６】
【００２２】
以下、本発明を実施するための最良の形態について図面を参照して説明する。本発明の実施例図７において、この発明の多機能収納ケ−スの本体の上蓋引出しを摺動自在とする摺動支持部と上段収納区画部の引出しおよび下段収納区画部の引出しを摺動自在とする摺動支持部の構造を示した斜視図である。同図に示すように、この収納ケ−スの本体１の上側面枠組４に、上蓋引出し１２の摺動自在とする上蓋摺動支持部２０を、上側面枠組４の前後方の上側面に対応して摺動隙間４１を設けて接合し固着されて設けられている。本体１の本体側面８の右側面に側面開口部１０を備えている。その側面開口部１０に上蓋引出し係合部２６と、上段引出し係合部２７および下段引出し係合部２８を備えられている。上記の、上段収納区画部１７の引出しの上段摺動支持部２１を、右側面の側面開口部１０の前後方の枠組に接合し固着して設けている。下段収納区画部１８の引出しの下段摺動支持部２１を、右側面の側面開口部１０の前後方の枠組と、下側面枠組６の底部底体７の枠組に接合し固着して設けられている。本体１の内部の前後方の内部側面と左方の内部側面の枠組に接合し固着させて上段摺動支持部２１および下段摺動支持部２２を設けられる。
【実施例７】
【００２３】
以下、本発明を実施するための最良の形態について図面を参照して説明する。本発明の実施例図８において、この発明の多機能収納ケ−スの本体の製図台と調整支持部および小型収納ケ−スの係止部の構造を示した斜視図である。同図に示すように、この収納ケ−スの本体１の上蓋引出し１２を右側面の側面開口部１０に格納して備えられている。上蓋引出し１２の上側面に製図板４２を係止させて備えられている。この収納ケ−スの本体１の内部に内部収納区画部１６を備えている。その内部収納区画部１６の上段収納区画部１７の引出しおよび下段収納区画部１８の引出しを格納されて備えられている。この収納ケ−スの本体側面８の左側面に、用具の側面取付け係止部１４を備えている。その側面取付け係止部１４に取付け自在とした小型収納ケ−ス３９を係止されて備えられている。この収納ケ−スの下側面枠組６の下側面に底部底体７を備えている。その底部底体７の後方底部の両側端に、本体１の製図台と製図板４２を支持する調整支持部１５を設けられている。その調整支持部１５に取付け着装自在な傾斜調整支持具４０を取付け係止して設けられ、傾斜調整支持具４０は底部底体７の後方底部の両側端に設けられる。本体１の本体側面８の前方側面に、本体１を支持する側面把手１３を設けられている。この収納ケ−スの本体１は長方形状の箱型の本体枠組２を備えている。
【実施例８】
【００２４】
以下、本発明を実施するための最良の形態について図面を参照して説明する。本発明の実施例図９において、この発明の多機能収納ケ−スの上蓋引出しと上段収納区画部の引出しおよび下段収納区画部の引出しを備え、上蓋引出しと上段収納区画部の引出しおよび下段納区画部の引出しを引出した本体の斜視図である。同図に示すように、この収納ケ−スの上蓋引出し１２を本体側面８の右側面の側面開口部１０より右側方へ引出されて備えている。この収納ケ−スの内部に収納と取出し自在な上段収納区画部１７の引出しと下段収納区画部１８の引出しを備え、本体側面８の右側面の側面開口部１０の右側方へ引出されて備えられている。上記、上蓋引出し１２の右側端に上蓋端部枠蓋２３を備えている。その上蓋端部枠蓋２３に上蓋引出し係止把手３０を設けられている。この収納ケ−スの本体側面８の前方側面８に、本体１を支持する側面把手１３を設けられている。この収納ケ−スの本体１は長方形状の箱型の本体枠組２を備えている。
【実施例９】
【００２５】
以下、本発明を実施するための最良の形態について図面を参照して説明する。本発明の実施例図１０において、この発明の多機能収納ケ−スの開口上蓋と上段収納区画部の引出しおよび下段収納区画部の引出しを備え、上段収納区画部の引出しおよび下段収納区画部の引出しを引出した本体の斜視図である。同図に示すように、この収納ケ−スの本体１の上側面枠組４に上側面開口部９を備え、その上側面開口部９の上側面に開閉上蓋１１を格納して備えられている。本体側面８の右側面に側面開口部１０を備えている。その側面開口部１０の右側方に、上段収納区画部１７の引出しおよび下段収納区画部１８の引出しを引出されて備えられている。開閉上蓋１１の前方側端に蓋体の係合と係止の機能を保持する開閉上蓋係止把手３３を設けている。この収納ケ−スの上段収納区画部１７の引出しの右側端に上段引出し枠蓋２４を備えている。下段収納区画部１８の引出しの右側端に下段引出し枠蓋２５を備えられている。上記、上段引出し枠蓋２４の側面に上段引出し係止把手３１を設けている。下段引出し枠蓋２５の側面に下段引出し係止把手３２を設けられている。上段引出し係止把手３１と下段引出し係止把手３２は、引出しの係合と係止の機能を保持している。この収納ケ−スの本体側面８の前方側面に、本体１を支持する側面把手１３を設けられている。この収納ケ−スの本体１は長方形状の箱型の本体枠組２を備えている。
【実施例１０】
【００２６】
以下、本発明を実施するための最良の形態について図面を参照して説明する。本発明の実施例図１１において、この多機能収納ケ−スの開閉上蓋の開口と上段収納区画部の引出しにノ−トパソコンの収納区画を設け、上段収納区画部の引出しおよび下段収納区画部の引出しを引出した本体の斜視図である。この収納ケ−スの本体１の上側面枠組４に、上側面開口部９を備えている。その上側面開口部９の上側面に開閉上蓋１１を開口して備えられている。本体側面８の右側面に側面開口部１０を設けられて、側面開口部１０の右側方に、上段収納区画部１７の引出しおよび下段収納区画部１８の引出しを引出されて備えられている。上記、上段収納区画部１７の引出しにノ−トパソコン４３を収納されている。開閉上蓋１１の前方側端に蓋体の係合と係止の開閉上蓋係止把手３３を設けている。この収納ケ−スの上段収納区画部１７の引出しの右側端に上段引出し枠蓋２４を備え、下段収納区画部１８の引出しの右側端に下段引出し枠蓋２５を備えられている。上記、上段引出し枠蓋２４の側面に上段引出し係止把手３１を設けている。下段引出し枠蓋２５の側面に下段引出し係止把手３２を設けられている。上段引出し係止把手３１と下段引出し係止把手３２は、引出しの係合と係止の機能を保持している。この収納ケ−スの下段収納区画部１８の引出しにノ−トパソコンの付属備品もしくは製図備品の収納区画を自在に設けられる。この収納ケ−スの本体側面８の前方側面に、本体１を支持する側面把手１３を設けられている。この収納ケ−スの本体１は長方形状の箱型の本体枠組２を備えている。
【実施例１１】
【００２７】
以下、本発明を実施するための最良の形態について図面を参照して説明する。本発明の実施例１２において、この多機能収納ケ−スの開閉上蓋を開閉自在とする枢着回動部の構造を示した平面図である。同図に示すように、この収納ケ−スの本体枠組２の上側面枠組４の両側端に枢着接合凹部位４６を設けている。開閉上蓋１１の側面端部の両側端に枢着回動筒部位４７を固着して設けられている。上記、枢着接合凹部位４６に枢着回動筒部位４７を接合して備えている。その枢着接合凹部位４６および開閉回動筒部位４７に、枢着回動軸芯ネジ４９を枢着支持凸部位４８の両側端より挿通し固着して備えられている。この収納ケ−スの枢着回動部１９は本体１の上側面枠組４の前後方の側面および左右方の側面に自在に設けられる。枢着回動部１９の構成する各部位の枢着接合凹部位４６と枢着回動筒部位４７および枢着支持凸部位４８の形状を、円筒形もしくは多角形として蓋体の端部の両側端に自在に設けることができる。
【実施例１２】
【００２８】
以下、本発明を実施するための最良の形態について図面を参照して説明する。本発明の実施例１３において、この多機能収納ケ−スの上段収納区画部の引出しの収納区画部底体に、収納区画を形成する構造を示した斜視図である。同図に示すように、この収納ケ−スの上段収納区画部１７の引出しの収納区画部底体５０に、収納区画トレ−部位５１を形成して設けられている。その収納区画トレ−部位５１に収納薄型枠蓋付きトレ−５２を格納して備えられている。上記、収納薄型枠蓋付きトレ−５２の形状は下段収納区画部１８の収納物に接触しない形状を保持して設けられる。収納と取出し自在な収納薄型枠蓋付きトレ−５２を上段収納区画部１７の収納区画部底体５０より取出し収納薄型ケ−スとして使用することができる。収納薄型枠蓋付きトレ−５２を収納区画トレ−部位５１に格納し、その格納した収納薄型枠蓋付きトレ−５２に製図用具用品４５を収納して、収納薄型トレ−上蓋５５を装着する。上記、収納薄型トレ−上蓋５５を装着した上側面に製図用具用品４５を収納することができる。収納薄型枠蓋付きトレ−５２の収納と取出しは上段収納区画部１７の収納物の製図用具用品４５を取出した後に、収納と取出しを自在とする。
【実施例１３】
【００２９】
以下、本発明を実施するための最良の形態について図面を参照して説明する。本発明の実施例１４において、この多機能収納ケ−スの下段収納区画部１８の引出しの内部に製図用具と用品を収納する収納区画の構造を示した斜視図である。この収納ケ−スの下段収納区画部１８の引出しの内部に、製図板４２および製図用具用品４５の長尺定規を収納する、製図板収納区画部位５３および長尺定規収納区画部位５４を形成して設けられている。その製図板収納区画部位５３に製図板４２を収納して備えている。長尺定規収納区画部位５４は長方形状の収納区画を形成して、下段収納区画部１８の引出しの枠組の側面に取付けられて設けられている。前記実施例１３において、上段収納区画部１７の引出しの収納区画部底体５０に設けられている収納薄型枠蓋トレ−５２の接触しない部位に、製図板収納区画部位５３および長尺定規収納区画部位４５を設けられる。
【実施例１４】
【００３０】
以下、本発明を実施するための最良の形態について図面を参照して説明する。本発明の実施例１５において、この多機能収納ケ−スの上蓋引出しの上蓋端部および上蓋端部枠蓋を枢着回動自在とする構造を示した斜視図である。この収納ケ−スの上蓋引出し１２の上蓋３の右端部の両側端に枢着回動筒部位４７を設けている。上蓋端部枠蓋２３の左側面の両側端に枢着接合凹部位４６および枢着支持凸部位４８を設けられている。上記、上蓋３の右端部の両側端に設けられた枢着回動筒部位４７を、上蓋端部枠蓋２３の左側端の両側端の枢着接合凹部位４６に、枢着接合するようにして設けられている。その枢着接合凹部位４６および枢着回動筒部位４７に、枢着回動軸芯ネジ４９を上蓋端部枠蓋２３の上側面の両側端に設けられた枢着支持凸部位４８と、枢着接合凹部位４６および枢着回動筒部位４７に設けられている枢着軸芯挿入口５６に挿通して、枢着回動軸芯ネジ４９を締着し固着して枢着回動自在な枢着回動部１９を設けられる。上記、上蓋引出し１２の端部と上蓋端部枠蓋２３を枢着回動自在とする構造を保持し、この収納ケ−スの内部収納区画部１６の引出しの上段収納区画部１７の引出しおよび下段収納区画部１８の引出しを引出し自在とする、蓋体の枢着回動部１９を設けられる。枢着回動部１９の部位の形状と位置の形成を蓋体の側端に自在に設けることができる。
【実施例１５】
【００３１】
以下、本発明を実施するための最良の形態について図面を参照して説明する。本発明の実施例１６において、この多機能収納ケ−スの上蓋引出しの枢着回動自在の上蓋端部枠蓋の蓋体を引出した斜視図である。この収納ケ−スの上蓋引出し１２の右側端および上蓋端部枠蓋２３の左側端に枢着回動自在とする枢着回動部１９を設けられている。その枢着回動部１９の部位の枢着回動筒部位４７を上蓋引出し１２の右側端の両側端に設けている、上蓋端部枠蓋２３の左側端の両側端に、枢着接合凹部位４６および枢着支持凸部位４８の枢着回動部１９を設けている。上記、蓋体の両側端の枢着回動部１９の部位の枢着支持凸部位４８と、枢着接合凹部位４６と、枢着回動筒部位４７の部位の枢着軸芯挿入口５６に
、枢着回動軸芯ネジ４９を挿通し枢着して枢着回動自在な枢着回動部１９を備えられている。上蓋引出し１２を格納して枢着回動自在の上蓋端部枠蓋２３を自在に開閉させて、本体１の内部収納区画部１６の引出しの上段収納区画部１７の引出しもしくは下段収納区画部１８の引出しを側面開口部１０より引出し、収納物の収納と取出しを自在とすることができる。
【実施例１６】
【００３２】
以下、本発明を実施するための最良の形態について図面を参照して説明する。本発明の実施例１７において、この多機能収納ケ−スの上蓋引出しの枢着回動自在の上蓋端部枠蓋と、上段収納区画部の引出しおよび下段収納区画部の引出しを引出した本体の斜視図である。この収納ケ−スの上蓋引出し１２の上蓋端部枠蓋２３を枢着回動自在とする枢着回動部１９を蓋体に設けられ、その蓋体の上蓋引出し１２を側面開口部１０の右側方へ引出して備えている。上記、本体１の上段収納区画部１７の引出しと、下段収納区画部１８の引出しを本体側面８の右側面の側面開口部１０の右側方に引出して備えられている。この収納ケ−スの上蓋端部枠蓋２３の枢着回動自在の開閉により、上段収納区画部１７の引出しもしくは下段収納区画部１８の引出しを側面開口部１０の右側方へ自在に引出すことができ、収納物の収納と取出しを自在とする。この実施例１７の蓋体の枢着回動自在とする枢着回動部１９の構造において、前記、本発明の実施例１６の蓋体の枢着回動自在とする枢着回動部１９の構造を保持して備えられている。上記、上蓋引出し１２を上蓋摺動支持部２０の摺動隙間４１に沿って格納して、枢着回動自在の上蓋端部枠蓋２３を自在に開閉することができる。この収納ケ−スの本体１は長方形状の箱型の本体枠組２を備えている。
【実施例１７】
【００３３】
以下、本発明を実施するための最良の形態について図面を参照して説明する。本発明の実施例１８において、この多機能収納ケ−スの上蓋引出しの枢着回動自在の上蓋端部枠蓋と内部収納区画部に収納区画を設け、上蓋引出しと上段収納区画部の引出しおよび下段収納区画部の引出しを引出した本体の斜視図である。この収納ケ−スの上蓋引出し１２の上蓋端部枠蓋２３を枢着回動自在とする枢着回動部１９を蓋体に設けられ、その蓋体の上蓋引出し１２を側面開口部１０の右側方へ引出して備えている。上記、本体１の上段収納区画部１７の引出しと下段収納区画部１８の引出しを側面開口部１０の右側方へ引出して備えられている。本体１の内部に内部収納区画部１６の収納区画を設けている。その収納区画の収納物を上蓋引出し１２の引出しにより収納と取出しを自在とすることができる。この実施例１８の蓋体の枢着回動自在とする枢着回動部１９の構造において、前記、本発明の実施例１６の蓋体の枢着回動自在とする枢着回動部１９の構造を保持して備えられている。本体１の上段収納区画部１７の引出しと下段収納区画部１８の引出しを内部収納区画部１６の収納区画の右側面に接着して格納する。上記、この収納ケ−スの実施例１８の蓋体の上蓋端部枠蓋２３を枢着回動自在とする枢着回動部１９の構造により、本体１の上段収納区画部１７の引出しもしくは下段収納区画部１８の引出しの格納と引出しを自在とすることができる。上記、この収納ケ−スの内部収納区画部１６にノ−トパソコンの収納区
画を形成して付属備品もしくは製図用備品を収納する。上段収納区画部１７の引出しにノ−トパソコンもしくは製図用具の収納区画を形成して収納し、下段収納区画部１８に製図情報資料のＣＤ−ＲＯＭおよび各種カ−ドの収納区画を形成して収納することができる。この収納ケ−スの本体側面８に本体１を支持する側面把手１３を設けられている。この収納ケ−スの本体１は長方形状の箱型の本体枠組２を備えている。
【産業上の利用可能性】
【００３４】
本発明の活用例として、製図作業の業務と製図研究および製図学習に使用する。製図用具と製図用品を収納ケ−スの収納区画部にコンパクトに収納し、紛失と破損を防止して保管することができる。製図用具と製図用品の一部を必要に応じて取出し使用することができる。携帯しくは持運びに容易な構造の収納ケ−スである。製図作業と製図の研究学習を屋内外で多機能収納ケ−スを使用して行なうことができる。
【図面の簡単な説明】
【００３５】
【図１】この発明の実施形態である多機能収納ケ−スの開閉上蓋と上段収納区画部の引出しおよび下段収納区画部の引出しを格納された本体の外観図である。（実施例１）
【図２】この発明の実施形態である多機能収納ケ−スの上蓋引出しと上段収納区画部の引出しおよび下段収納区画部の引出しを格納された本体の外観図である。（実施例２）
【図３】この発明の実施形態である多機能収納ケ−スの本体の開閉上蓋を開口した本体の斜視図である。（実施例３）
【図４】この発明の実施形態である多機能収納ケ−スの上蓋を上蓋引出しとした本体の斜視図である。（実施例４）
【図５】この発明の実施形態である多機能収納ケ−スの本体の上蓋引出しと上段収納区画部の引出しを引出した本体の斜視図である。（実施例５）
【図６】この発明の実施形態である多機能収納ケ−スの上蓋の開閉自在な開閉上蓋の開口と上段収納区画部の引出しを引出した本体の斜視図である。（実施例６）
【図７】この発明の実施形態である多機能収納ケ−スの本体の上蓋引出しを摺動自在とする摺動支持部と上段収納区画部の引出しおよび下段収納区画部の引出しを摺動自在とする摺動支持部の構造を示した斜視図である。（実施例７）
【図８】この発明の実施形態である多機能収納ケ−スの本体の製図台と調整支持部および小型収納ケ−スの取付け係止部を示した本体の斜視図である。（実施例８）
【図９】この発明の実施形態である多機能収納ケ−スの本体の上蓋引出しと上段収納区画部の引出しおよび下段収納区画部の引出しを備え、上蓋引出しと上段収納区画部の引出しおよび下段収納区画部の引出しを引出した本体の斜視図である。（実施例９）
【図１０】この発明の実施形態である多機能収納ケ−スの本体の開閉上蓋と上段収納区画部の引出しおよび下段収納区画部の引出しを備え、開閉上蓋と上段収納区画部の引出しおよび下段収納区画部の引出しを引出した本体の斜視図である。（実施例１０）
【図１１】この発明の実施形態である多機能収納ケ−スの開閉上蓋の開口と上段収納区画部の引出しにノ−トパソコンの収納区画を設け、上段収納区画部の引出しおよび下段収納区画部の引出しを引出した本体の斜視図である。（実施例１１）
【図１２】この発明の実施形態である多機能収納ケ−スの本体の開閉上蓋を開閉自在とする枢着回動部の構造を示した斜視図である。（実施例１２）
【図１３】この発明の実施形態である多機能収納ケ−スの上段収納区画部の引出しの収納区画部底体に、収納区画を形成する構造を示した斜視図である。（実施例１３）
【図１４】この発明の実施形態である多機能収納ケ−スの下段収納区画部の引出しの内部に製図用具と用品を収納する収納区画の構造を示した斜視図である。（実施例１４）
【図１５】この発明の実施形態である多機能収納ケ−スの上蓋引出しの上蓋端部および上蓋端部枠蓋を枢着回動自在とする枢着回動部の構造を示した斜視図である。（実施例１５）
【図１６】この発明の実施形態である多機能収納ケ−スの上蓋引出しの枢着回動自在の上蓋端部枠蓋を引出した斜視図である。（実施例１６）
【図１７】この発明の実施形態である多機能収納ケ−スの上蓋引出しの枢着回動自在の上蓋端部枠蓋の蓋体と、上段収納区画部の引出しおよび下段収納区画部の引出しを引出した本体の斜視図である。（実施例１７）
【図１８】この発明の実施形態である多機能収納ケ−スの上蓋引出しの枢着回動自在の上蓋端部枠蓋と内部収納区画部に収納区画を設け、上蓋引出しと上段収納区画部の引出しおよび下段収納区画部の引出しを引出した本体の斜視図である。（実施例１８）
【符号の説明】
【００３６】
１：本    体                
２：本体枠組                
３：上    蓋                
４：上側面枠組              
５：側面枠組                
６：下側面枠組              
７：底部底体                
８：本体側面                
９：上側面開口部            
10：側面開口部              
11：開閉上蓋                
12：上蓋引出し              
13：側面把手                
14：側面取付け係止部        
15：調整支持部              
16：内部収納区画部          
17：上段収納区画部          
18：下段収納区画部          
19：枢着回動部              
20：上蓋摺動支持部          
21：上段摺動支持部          
22：下段摺動支持部        
23：上蓋端部枠蓋              
24：上段引出し枠蓋
25：下段引出し枠蓋
26：上蓋引出し係合部                                                  
27：上段引出し係合部
28：下段引出し係合部
29：開閉上蓋係合部
30：上蓋引出し係止把手                                              
31：上段引出し係止把手
32：下段引出し係止把手
33：開閉上蓋係止把手
34：上蓋引出し係止装置
35：上段引出し係止装置
36：下段引出し係止装置
37：開閉上蓋係止装置
38：側面取付け係止部
39：小型収納ケ−ス
40：傾斜調整支持具
41：摺動隙間
42：製図板
43：ノ−トパソコン
44：用紙収納部
45：製図用具用品
46：枢着接合凹部位  
47：枢着回動筒部位
48：枢着支持凸部位
49：枢着回動軸芯ネジ
50：収納区画部底体
51：収納区画トレ−部位
52：収納薄型枠蓋付きトレ−
53：製図板収納区画部位
54：長尺定規収納区画部位
55：収納薄型トレ−上蓋
56：枢着軸芯挿入口
【図１】
2005211284.tif 000003
【図２】
2005211284.tif 000004
【図３】
2005211284.tif 000005
【図４】
2005211284.tif 000006
【図５】
2005211284.tif 000007
【図６】
2005211284.tif 000008
【図７】
2005211284.tif 000009
【図８】
2005211284.tif 000010
【図９】
2005211284.tif 000011
【図１０】
2005211284.tif 000012
【図１１】
2005211284.tif 000013
【図１２】
2005211284.tif 000014
【図１３】
2005211284.tif 000015
【図１４】
2005211284.tif 000016
【図１５】
2005211284.tif 000017
【図１６】
2005211284.tif 000018
【図１７】
2005211284.tif 000019
【図１８】
2005211284.tif 000020